(57)【要約】【課題】銘板が付されたブランクの表面を高精度に仕上げると共に、従来に比べて大幅なコストダウンを実現した釣竿用ブランクの製造方法の提供。【解決手段】この製法は、ファースト工程、中間工程及びファイナル工程を含む。ファースト工程では、プリプレグ１２が裁断され、マンドレル１３に巻回される。中間工程では、上記プリプレグ１２に銘板１４が配置され、それを囲繞するようにプリプレグ１２に成形テープ１５が巻き付けられる。その後、熱処理によりブランクが形成される。ファイナル工程では、上記成形テープ１５が外され、ブランクの表面が綺麗に仕上げられた状態となる。【選択図】図７
2015208235.tif 000002
【特許請求の範囲】
【請求項１】
所定形状に裁断されたプリプレグがマンドレルに巻回されるファースト工程と、成形テープによる上記プリプレグの締付け及び熱処理を含む中間工程と、上記成形テープが取り外されるファイナル工程とを有する釣竿用ブランクの製造方法であって、
上記中間工程は、
上記ファースト工程の後、上記プリプレグの表面に銘板が付される銘板工程と、
上記銘板が付されたプリプレグに上記成形テープが巻き付けられる締付工程と、
所定の温度下で所定の時間だけ上記プリプレグが加熱される熱処理工程と、を含む釣竿用ブランクの製造方法。
【請求項２】
上記中間工程は、
上記銘板工程の前又は後に、上記プリプレグに塗装が施される塗装工程を含んでいる請求項１に記載の釣竿用ブランクの製造方法。
【請求項３】
上記塗装工程の直後に上記締付工程が進められる請求項２に記載の釣竿用ブランクの製造方法。
【発明の詳細な説明】
【技術分野】
【０００１】
この発明は、釣竿を構成するブランクの製造方法に関するものである。
【背景技術】
【０００２】
一般に、釣竿は、複数の中空の節（ブランク）が長手方向に継がれることにより構成される。各ブランクは、通常、炭素繊維により強化された樹脂シート（プリプレグ）が加熱処理されることにより形成される。そして、ブランクに所要の塗装等が施されることにより、商品としての釣竿が完成する。
【０００３】
従来のブランクは、（ａ）プリプレグが所定の形状に裁断される工程、（ｂ）裁断されたプリプレグがマンドレルに巻回される工程、（ｃ）成形テープが巻回される工程、（ｄ）ブランクが加熱加熱される工程、（ｅ）成形テープが除去される工程、（ｆ）ブランクの表面が研削される工程、（ｇ）下地塗装が施される工程、（ｈ）本体塗装が施される工程、（ｉ）表面コーティングが施される工程を経て製造される（たとえば、特許文献１〜特許文献４参照）。
【先行技術文献】
【特許文献】
【０００４】
【特許文献１】特開２０１２−２３１８００号公報
【特許文献２】特開２００９−２６８４２５号公報
【特許文献３】特開２００５−４０１０３号公報
【特許文献４】特開２００４−９７０２５号公報
【発明の概要】
【発明が解決しようとする課題】
【０００５】
従来から、ブランクの製造工程は複雑で製造コストを抑えにくいという問題があった。一般に、釣竿の製品名やグレードを表す銘板がブランクに付されるが、その場合に、銘板とブランクの表面との間に形成される段差が解消されるために上記（ｉ）工程が繰り返される。つまり、表面コーティングが繰り返されることにより、上記段差が解消される。そのため、ブランクの完成重量が増加すると共に製造コストも上昇する。ブランクの製造において、コスト削減は、普遍的課題である。
【０００６】
もっとも製造工程の一部が省略されれば製造コストは低下するが、他の問題が生じる。たとえば、上記工程（ｆ）又は工程（ｇ）が削除されれば、均一で綺麗な塗装が困難になる。また、工程（ｉ）が省略されれば、表面仕上げが低下して見栄えが悪くなる。
【０００７】
本発明はかかる背景のもとになされたものであって、その目的は、表面に銘板が付された場合であっても高精度な表面仕上げが実現され、且つ従来に比べて大幅なコストダウンが実現される釣竿用ブランクの製造方法を提供することである。
【課題を解決するための手段】
【０００８】
(1) 本発明に係る釣竿用ブランクの製造方法は、所定形状に裁断されたプリプレグがマンドレルに巻回されるファースト工程と、成形テープによる上記プリプレグの締付け及び熱処理を含む中間工程と、上記成形テープが取り外されるファイナル工程とを有する。上記中間工程は、上記ファースト工程の後、上記プリプレグの表面に銘板が付される銘板工程と、上記銘板が付されたプリプレグに上記成形テープが巻き付けられる締付工程と、所定の温度下で所定の時間だけ上記プリプレグが加熱される熱処理工程とを含む。
【０００９】
この構成によれば、マンドレルに巻回されたプリプレグの表面に銘板が付された後に、当該銘板が上記プリプレグと共に成形テープにより締め付けられ、加熱される。プリプレグが加熱されることにより、含浸された樹脂が溶融し硬化する。このとき、上記銘板は、予めプリプレグの表面に配置されているから、上記樹脂が溶融すると、当該樹脂は流動して銘板を覆う。しかも、上記銘板は上記成形テープにより囲繞され締め付けられているから、上記銘板はプリプレグ側に沈み込み、上記樹脂は均等に流動する。これにより、熱処理工程において、上記銘板とプリプレグとの間に段差が形成されない。
【００１０】
(2) 上記銘板工程の前又は後に、上記プリプレグに塗装が施される塗装工程を含んでいてもよい。
【００１１】
この構成では、プリプレグが加熱される前に塗装が施される。したがって、上記熱処理工程によりブランクの焼成と同時に塗装が安定する。
【００１２】
(3) 上記塗装工程の直後に上記締付工程が進められるのが好ましい。
【００１３】
この構成では、プリプレグに塗装が施された直後に成形テープによるラッピングが行われる。したがって、熱処理工程により加熱されると、当該塗装部分も上記樹脂により覆われる。この樹脂は、上記成形テープで締め付けられているから、上記塗装部分は、高度に仕上げられる。
【発明の効果】
【００１４】
この発明によれば、熱処理工程に先立って銘板がプリプレグ上に配置され且つ成形テープによって締め付けられているから、加熱されることにより、プリプレグの樹脂が銘板を均一に覆う。つまり、従来では、ブランクの焼成後に別工程にて銘板の取り付けが行われていたが、本発明では、銘板の取り付けと同時にブランクの焼成が行われる。したがって、製造工程が大幅に簡略化され、ブランクの製造コストは激減する。しかも、上記銘板は、熱処理により溶融した樹脂に埋没するから、ブランクの表面は綺麗に仕上がる。
【図面の簡単な説明】
【００１５】
【図１】図１は、本発明の一実施形態に係るブランクの製造工程のうち、ファースト工程を示す図である。
【図２】図２は、本発明の一実施形態に係るブランクの製造工程のうち、ファースト工程を示す図である。
【図３】図３は、本発明の一実施形態に係るブランクの製造工程のうち、中間工程を示す図である。
【図４】図４は、本発明の一実施形態に係るブランクの製造工程のうち、中間工程を示す図である。
【図５】図５は、本発明の一実施形態に係るブランクの製造工程のうち、中間工程を示す図である。
【図６】図６は、本発明の一実施形態に係るブランクの製造工程のうち、中間工程を示す図である。
【図７】図７は、本発明の一実施形態に係るブランクの製造工程のうち、中間工程を示す図である。
【図８】図８は、本発明の一実施形態に係るブランクの製造工程のうち、ファイナル工程を示す図である。
【発明を実施するための形態】
【００１６】
以下、本発明の好ましい実施形態が、適宜図面が参照されつつ説明される。なお、本実施の形態は、本発明に係るブランク製造方法の一態様にすぎず、本発明の要旨を変更しない範囲で実施態様が変更されてもよいことは言うまでもない。
【００１７】
図１〜図８は、本発明の一実施形態に係るブランクの製造工程を示す図である。
【００１８】
上記製造工程を経て最終的に図８が示すブランク１０が製造される。このブランク１０は、炭素繊維により強化された樹脂からなり、専ら釣竿用として使用される。本実施形態に係るブランク１０は、釣竿を構成する元節として使用され、当該ブランク１０の表面に当該釣竿の銘板１４が配置されている。このブランク１０の製造工程は、大きく分けてファースト工程（図１及び図２参照）、中間工程（図３〜図７参照）及びファイナル工程（図８参照）を含む。
【００１９】
＜ファースト工程＞
【００２０】
図１が示すように、ファースト工程では、先ずプリプレグ１２が所定の形状に裁断される。プリプレグ１２は、本実施形態では炭素繊維に熱硬化性樹脂（典型的にはエポキシ樹脂）が含浸されたものであり、汎用品が採用され得る。プリプレグ１２は、シート状に形成されており、一般に同図が示すような台形状に裁断され、上辺寸法Ｂよりも下辺寸法Ａの方が大きい。
【００２１】
次に、図２が示すように、前述のように裁断されたプリプレグ１２がマンドレル１３に巻き付けられる。通常、釣竿用のブランク１０は、所定のテーパが形成される。そのため、マンドレル１３も同図が示すようなテーパを備えている。プリプレグ１２は、図１が示すように台形にカットされているから、マンドレル１３に対して確実に巻き付けられる。
【００２２】
＜中間工程＞
【００２３】
上記ファースト工程に続いて中間工程が進められる。
【００２４】
中間工程は、先ず銘板工程が行われる。図３及び図４が示すように、銘板工程により銘板１４がプリプレグ１２の表面に配置される。銘板１４は、本実施形態では薄肉の樹脂からなり、帯状に形成されている。もっとも、銘板１４の形状は限定されるものではないし、銘板１４を構成する材料も樹脂に代えて金属が採用されてもよい。図示されていないが、銘板１４の表面に当該ブランク１０乃至釣竿の銘柄を示すマークや商標が印刷される。銘板１４の裏面に接着剤が付されていてもよい。このように銘板１４が配置されることにより、図４が示すように銘板１４とプリプレグ１２との間に段差ｄが形成される。
【００２５】
銘板工程に続いて締付工程が行われる。締付工程では、図５が示すように成形テープ１５がプリプレグ１２に巻き付けられる。具体的には、成形テープ１５は、マンドレル１３に巻回されたプリプレグ１２の周囲を締め付けるように巻き付けられる。このとき、プリプレグ１２の表面に配置された銘板１４もプリプレグ１２と共に締め付けられる。この成形テープ１５は、ポリプロピレン（ＰＰ）を基材とした汎用品が採用される。
【００２６】
上記銘板工程の直前又は上記銘板工程の直後であって上記締付工程の前に、塗装工程が行われても良い。この塗装工程では、所要の塗料がプリプレグ１２の表面に塗布される。塗料としては、エポキシ系塗料が採用される。これにより、後述の熱処理工程の前にプリプレグ１２に模様等が付されることになる。もっとも、この塗装工程は省略されても良い。
【００２７】
上記締付工程に続いて、熱処理工程が行われる。この熱処理工程は、図６が示すように、上記締付工程を経たプリプレグ１２が、加熱炉１６に収容され、所定温度の下で所定時間だけ加熱される。加熱炉１６内の温度は、８０°Ｃ〜１４０°Ｃに設定され、
加熱時間は、９０分〜１５０分である。
【００２８】
この熱処理工程では、図７が示すように、プリプレグ１２に含まれる樹脂１７が溶融する。そして、前述のように、プリプレグ１２は、成形テープ１５によって締め付けられているから、プリプレグ１２上に配置されていた銘板１４は、溶融した樹脂１７中に沈み込む。これにより、熱処理工程前には、プリプレグ１２と銘板１４との間に形成されていた段差ｄ（図４参照）が解消され、プリプレグ１２の表面が滑面となる。この熱処理工程が終了すると、上記樹脂１７が硬化する。
【００２９】
＜ファイナル工程＞
【００３０】
上記中間工程に続いて、ファイナル工程が行われる。このファイナル工程では、上記熱処理工程の後、上記生成テープ１５が取り外される。つまり、図８が示すように、上記炭素繊維にて強化された樹脂１７によって釣竿用のブランク１０が形成される。また、上記塗装工程が行われた場合には、当該ブランク１０の表面に所要の模様等が付された状態となる。
【００３１】
＜作用効果＞
【００３２】
本実施形態に係る製造方法では、マンドレル１３に巻回されたプリプレグ１２の表面に銘板１４が配置された後に、当該銘板１４がプリプレグ１２と共に成形テープ１５により締め付けられ、加熱される。プリプレグ１２が加熱されることにより、上記樹脂１７が溶融し硬化する（図７参照）。このとき、上記樹脂１７が流動して銘板１４を覆う。しかも、銘板１４は成形テープ１５により囲繞され締め付けられているから、銘板１４は樹脂１７中に沈み込み、当該樹脂１７は周囲に均等に流動する。したがって、上記熱処理工程を経て形成されたブランク１０は、表面が滑面であり、銘板１４の周りに段差が形成されることはない。
【００３３】
すなわち、従来では、ブランクの焼成後に別工程にて銘板の取り付けが行われていたが、本実施形態に係る製造方法では、銘板１４の取り付けと同時にブランク１０の焼成が行われる。したがって、銘板１４の周りに生じた段差を解消するための別工程が不要であり、製造工程が大幅に簡略化される。その結果、ブランク１０の製造コストは激減する。しかも、上記銘板１４は、熱処理により溶融した樹脂に埋没するから、ブランク１０の表面は綺麗に仕上がる。したがって、上記成形テープ１５が取り外された後に別工程としての仕上作業も不要である。
【００３４】
また、本実施形態のように、上記塗装工程により焼成前に予めプリプレグ１２に塗装が施されるので、ブランク１０の焼成と同時に塗装も完成する。これにより、さらに製造工程が簡略化され、製造コストが低減される。
【００３５】
＜変形例＞
【００３６】
次に、本実施形態の変形例について説明される。
【００３７】
上記実施形態では、上記締付工程は、銘板工程あるいは塗装工程の後に行われた。この締付工程は、上記塗装工程の直後に進められるのが好ましい。
【００３８】
すなわち、プリプレグ１２に銘板１４が配置され、所要の塗装が施された直後に、成形テープ１５によるラッピングが行われるのが好ましい。この場合、熱処理工程によりプリプレグ１２が加熱されると、上記塗装部分も上記樹脂１７（図７参照）により覆われる。この樹脂１７は成形テープ１５で締め付けられているから、上記塗装部分は、樹脂１７により均等に覆われ、綺麗に仕上げられる。
【符号の説明】
【００３９】
１０・・・ブランク
１２・・・プリプレグ
１３・・・マンドレル
１４・・・銘板
１５・・・成形テープ
１６・・・加熱炉
１７・・・樹脂
【図１】
2015208235.tif 000003
【図２】
2015208235.tif 000004
【図３】
2015208235.tif 000005
【図４】
2015208235.tif 000006
【図５】
2015208235.tif 000007
【図６】
2015208235.tif 000008
【図７】
2015208235.tif 000009
【図８】
2015208235.tif 000010